(57)【特許請求の範囲】
【請求項１】
本体の一方の側面に取り付けられる画像表示部と、
前記本体の上面に、レンズ光軸に対して前記画像表示部が取り付けられた側面よりに、前記側面とは反対側の把持面から把持したときに指が掛かるよう配置され、前記レンズ光軸方向と平行に延びる第１の指掛け部と、
前記本体の底面に、レンズ光軸に対して前記画像表示部が取り付けられた側面よりに、前記側面とは反対側の把持面から把持したときに異なる指が掛かるよう配置され、前記レンズ光軸方向と平行に延びる第２の指掛け部
とを具備し、
前記第１の指掛け部と第２の指掛け部とは、前記本体の鉛直方向同位置に対をなして配置される
ことを特徴とする撮像装置。
【請求項２】
前記第１及び第２の指掛け部が、凹形状及び凸形状の何れかの断面を具備することを特徴とする請求項１に記載の撮像装置。
【発明の詳細な説明】
【技術分野】
【０００１】
本発明は、撮像装置に関し、特に撮影時における撮影姿勢の自由度を増やし、かつ、撮像機器の把持、即ちグリップを確実、容易に行うことができるようにした撮像装置に関する。
【背景技術】
【０００２】
図１１を参照して、従来のビデオカメラの撮影時の把持態様を説明する。従来のビデオカメラは、カメラ本体１１０の一側面１１２にグリップベルト１１４を具備する。撮影者は、把持のために、グリップベルト１１４とカメラ本体１１０の一側面１１２との間に手１２０、具体的には人差指１２０ａ、中指１２０ｂ、薬指１２０ｃ及び小指１２０ｄの４本を差し込む。カメラ本体１１０の上面１１６にはズーム操作ボタン１１８を設けてあり、これを人差指１２０ａで操作する。中指１２０ｂ、薬指１２０ｃ及び小指１２０ｄの３本の指の先端でカメラ本体１１０の上面１１６を押さえる。グリップベルト１１４の外部に出している親指１２０ｅの付け根部分でカメラ本体１１０の後端の下端部を支持する。このようにカメラ本体１１０を把持して、撮影を行う。特許文献１に、このようなビデオカメラが記載されている。
【０００３】
図１２、図１３及び図１４は、より小型化された従来のビデオカメラのそれぞれ異なる把持形態を示す。図１２に示すように、撮影時にカメラ本体を把持したときに、親指以外の指先が上面に置かれる場合と、図１３及び図１４に示す様に、親指以外の指先で底面を支えカメラ本体を把持する場合がある。
【特許文献１】特開平５−５６３１９号公報
【発明の開示】
【発明が解決しようとする課題】
【０００４】
図１２に示すように、カメラ本体の上面に指が置かれる把持形態では、次のような問題がある。人差し指１２０ａ、中指１２０ｂ及び薬指１２０ｃの各指先１２０ｆが当たるカメラ本体１１０の上面１１６に指掛け部が無いので、カメラ本体１１０の上面１１６に対して指先１２０ｆが滑り易くなり、安定した撮影を困難にする。
【０００５】
また、図１３に示すように、上から掴むような把持形態、及び、図１４に示すように親指１２０ｅとそれ以外の指１１ａ〜１２０ｄとで挟むような把持形態では、次のような問題がある。即ち、人差指１２０ａ〜小指１２０ｄでカメラ本体１１０の底面１１９を押さえたことになるが、これらの指先が当たるカメラ本体１１０の底面１１９に明確な指掛けが無い。その結果、人差指１２０ａ〜小指１２０ｄの指先が滑り易くなり、安定した撮影を困難にする。
【０００６】
本発明は、このような課題を解決する撮像装置を提示することを目的とする。
【課題を解決するための手段】
【０００７】
本発明に係る撮像装置は、本体の一方の側面に取り付けられる画像表示部と、前記本体の上面に、レンズ光軸に対して前記画像表示部が取り付けられた側面よりに、前記側面とは反対側の把持面から把持したときに指が掛かるよう配置され、前記レンズ光軸方向と平行に延びる第１の指掛け部と、前記本体の底面に、レンズ光軸に対して前記画像表示部が取り付けられた側面よりに、前記側面とは反対側の把持面から把持したときに異なる指が掛かるよう配置され、前記レンズ光軸方向と平行に延びる第２の指掛け部とを具備し、前記第１の指掛け部と第２の指掛け部とは、前記本体の鉛直方向同位置に対をなして配置されることを特徴とする。
【発明の効果】
【００１１】
本発明によれば、本体の上面と底面に指掛け部を設けることにより、上面に人差し指等の指先が来る把持方法と底面に人差し指等の指先が来る把持方法という複数の撮影姿勢において、安定した保持を実現できる。
【発明を実施するための最良の形態】
【００１２】
以下、図面を参照して、本発明の実施例を詳細に説明する。
【００１３】
図１は、本発明に係る撮像装置の一実施例であるビデオカメラ１０を把持面側から見た斜視図を示す。図２は、ビデオカメラ１０をモニタ側から見た斜視図を示す。図３は、ビデオカメラ１０をレンズ側底面から見た斜視図を示す。
【００１４】
ビデオカメラ１０の被写体側を前面部１２と呼び、前面部１２に対向する面（通常の撮影形態では撮影者がいる側の面）を背面部１４と呼ぶ。ビデオカメラ１０は他に、上面部１６及び底面部１８を具備する。使用者又は撮影者が把持する本体後方から見て右側を右側面２０とし、右側面２０と対向する面を左側面２２とする。右側面２０は、右手で把持する場合に右手で覆われる面、即ち、把持面となる。
【００１５】
前面部１２には、図３に示すように、レンズ開口１２ａとマイク１２ｂが配置される。上面部１６の凹み部１６ｂに、ズームレバー１６ａが配置される。上面部１６には更に、図１及び図２に示すように、背面から見てレンズ光軸より左側（表示パネル２８に近い側）の位置に、レンズ光軸方向とほぼ平行に延びた凹形状の指掛け部１６ｃを形成してある。
【００１６】
底面部１８には、図３に示すように、背面から見てレンズ光軸より左側（表示パネル２８に近い側）の位置に、レンズ光軸方向とほぼ平行に延びた凹形状の指掛け部１８ａを形成してある。
【００１７】
背面部１４には、図１に示すように、電源オン／オフを操作する電源ボタン１４ａと、録画のスタート／ストップを操作するトリガーボタン１４ｂが、配置される。電源ボタン１４ａの下には、着脱可能なバッテリ２４を挿入するバッテリ収納部１４ｃがある。トリガーボタン１４ｂの下には、着脱可能な記録媒体２６を挿入する記録媒体収納部１４ｄがある。
【００１８】
左側面２２には、図２に示すように、表示パネル２８が、２軸ヒンジ機構により、開閉収納可能に本体に取り付けられている。表示パネル２８は、画像表示部３０の左側に望遠側ズームボタン３２ａと広角側ズームボタン３２ｂを備える。望遠側ズームボタン３２ａと広角側ズームボタン３２ｂの間には、撮影と再生に関する各種設定を行う十字操作ボタン３４が配置されている。画像表示部３０の下部には、トリガーボタン１４ｂと同様に録画のスタート／ストップを操作するトリガーボタン３６と、電源ボタン１４ａと同様に電源操作に使用する電源ボタン３８を備えている。
【００１９】
図４、図５及び図６は、ビデオカメラ１０をアイレベルで把持する際の把持形態をそれぞれ異なる角度で見た様子を示す。５０はカメラ１０を把持する撮影者の手を示す。図７は手５０の手の平を示す。図７に示す手の平の根元５０ｇに対し、図４〜図６に示す把持形態では、底面部１８と右側面２０との間の稜線部に手のひらの根元５０ｇが当たる。図５及び図６に示すように、人差指５０ａ、中指５０ｂ及び薬指５０ｃの各指先は、ビデオカメラ１０の小型化により撮影者側から見てレンズ光軸より左側まで届き、上面部１６の指掛け部１６ｃに掛かる。
【００２０】
この把持形態では、撮影者は、人差指５０ａ、中指５０ｂ及び薬指５０ｃの各指先５０ｆと、手の平の根元５０ｇにより、ビデオカメラ１０を対角に挟持する。その際、人差指５０ａ、中指５０ｂ及び薬指５０ｃの各指先５０ｆが上面部１６の指掛け形状１６ｃに掛かるので、指先が滑らず、安定した把持が可能となる。
【００２１】
図８は、ビデオカメラ１０をウエストレベルで上から掴むように把持する際の把持形態の斜視図を示す。図９は、ビデオカメラ１０を親指とそれ以外の指で挟むように把持する際の把持形態の斜視図を示し、図１０は、背面から見た図を、一部断面で示す。
【００２２】
図８、図９及び図１０に示す把持形態では、人差指５０ａと中指５０ｂの指先が、背面から見てレンズ光軸より左側まで届き、底面部１８の指掛け部１８ａに掛かる。図９及び図１０に示す把持形態では、親指５０ｅが上面部１６の指掛け部１６ｃに掛かる。これらの把持形態では、撮影者は、表示パネル２８の望遠側ズームボタン３２ａ、広角側ズームボタン３２ｂ、トリガーボタン３６及び電源ボタン３８を図示しない左手で操作する。
【００２３】
図８、図９及び図１０に示す把持形態では、上面側に位置する親指５０ｅが指掛け部１６ｃに掛かり、底面側に位置する人差指５０ａ、中指５０ｂ及び薬指５０ｃが指掛け部１８ａに掛かるので、安定した把持が可能となる。
【００２４】
本実施例では、上面部１６の指掛け部１６ｃ（第１の指掛け部）と、底面部１８の指掛け部１８ａ（第２の指掛け部）が、背面から見てレンズ光軸より左側、即ち、表示パネル２８側に寄り、且つ、鉛直方向のほぼ同位置に対をなして配置されている。換言すると、指掛け部１６ｃ，１８ａは、レンズ光軸を含む鉛直面と平行な面上に配置される。これにより、図１０に示すように、人差指５０ａ及び中指５０ｂの力Ｆ１と、親指５０ｅの力Ｆ２が、鉛直方向のほぼ同一線上に対向する力で働く。力Ｆ３と力Ｆ４のように本体を回転させる力が発生せず、安定した撮影が可能となる。
【００２５】
撮像装置としてデジタルビデオカメラの実施例を説明したが、本発明に掛る撮像装置は、スチルカメラ、その他のカメラであってもよい。
【００２６】
指掛け部１６ｃ及び指掛け部１８ａとして凹形状のものを例示したが、であったが、何れか一方又は両方が凸形状であっても、指先を掛けることが可能であり、本発明に適用できる。
【図面の簡単な説明】
【００２７】
【図１】本発明の一実施例を把持面側から見た斜視図である。
【図２】本実施例をモニタ側から見た斜視図である。
【図３】本実施例をレンズ側及び底面側から見た斜視図である。
【図４】本実施例をアイレベルで把持する形態を示す側面図である。
【図５】アイレベルで把持している状態の背面方向から見た一部断面図である。
【図６】図４及び図５に示す把持状態での操作の様子を示す斜視図である。
【図７】手の平の説明図である。
【図８】上から掴むように把持する様子の斜視図である。
【図９】本実施例を親指とその他の指で挟むように把持する様子の斜視図である。
【図１０】図９に示す把持状態得での力の作用状態を説明する断面図である。
【図１１】従来例の斜視図である。
【図１２】従来のビデオカメラをアイレベルで把持するときの背面から見た図である。
【図１３】従来のビデオカメラをウエストレベルで把持する様子を示す斜視図である。
【図１４】従来のビデオカメラを親指とその他の指で挟むように把持する様子の斜視図である。
【符号の説明】
【００２８】
１０  ビデオカメラ
１２  前面部
１２ａ  レンズ開口
１２ｂ  マイク
１４  背面部
１４ａ  電源ボタン
１４ｂ  トリガーボタン
１４ｃ  バッテリ収納部
１４ｄ  記録媒体収納部
１６  上面部
１６ａ  ズームレバー
１６ｂ  凹み部
１６ｃ  指掛け部
１８  底面部
１８ａ  指掛け部
２０  右側面
２２  左側面
２４  バッテリ
２６  記録媒体
２８  表示パネル
３０  画像表示部
３２ａ  望遠側ズームボタン
３２ｂ  広角側ズームボタン
３４  十字操作ボタン
３６  トリガーボタン
３８  電源ボタン
５０  撮影者の手
５０ａ  人指し指
５０ｂ  中指
５０ｃ  くすり指
５０ｄ  小指
５０ｅ  親指
５０ｆ  指先
５０ｇ  手のひらの根元
１１０  カメラ本体
１１２  カメラ側面
１１４  グリップベルト
１１６  カメラ上面
１１８  ズーム操作ボタン
１１９  カメラ底面
１２０  撮影者の手
１２０ａ  人指し指
１２０ｂ  中指
１２０ｃ  くすり指
１２０ｄ  小指
１２０ｅ  親指
１２０ｆ  指先
【図１】
0005038116.tif 000002
【図２】
0005038116.tif 000003
【図３】
0005038116.tif 000004
【図４】
0005038116.tif 000005
【図５】
0005038116.tif 000006
【図６】
0005038116.tif 000007
【図７】
0005038116.tif 000008
【図８】
0005038116.tif 000009
【図９】
0005038116.tif 000010
【図１０】
0005038116.tif 000011
【図１１】
0005038116.tif 000012
【図１２】
0005038116.tif 000013
【図１３】
0005038116.tif 000014
【図１４】
0005038116.tif 000015